【手続補正書】
【提出日】平成31年4月10日(2019.4.10)
【手続補正１】
【補正対象書類名】特許請求の範囲
【補正対象項目名】全文
【補正方法】変更
【補正の内容】
【特許請求の範囲】
【請求項１】
グループの１人以上のグループメンバから受信される入力に基づいてデバイスを制御することによって前記デバイスを操作する方法であって、前記方法は、
認証済みのグループメンバのみがモニタリングされることとなるように、１人以上のユーザとインタラクトするためのユーザ入力手段によって、前記グループを確立するために、前記ユーザをグループメンバとして追加するための各ユーザの認証を行うステップと、
センサユニットを用いて、１人以上の前記認証済みのグループメンバのうちの命令を出すグループメンバによって提供され、視覚命令又は可聴命令の少なくとも一方を含む少なくとも１つの命令を検出するために、各認証済みのグループメンバをモニタリングするステップと、
前記命令を検出すると、制御ユニットによって、前記命令に関連付けられている、前記デバイスを制御する制御コマンドを特定するステップと、
前記検出された命令が、前記命令を出すグループメンバのメンバプロファイルデータ内の参照命令にマッチする場合にのみ、前記制御ユニットによって、前記デバイスに前記制御コマンドを提供するステップと、
を含み、前記制御コマンドを特定する前記ステップは、
ａ）前記制御ユニットによって、検出された前記命令を、前記認証済みのグループメンバのうちの前記命令を出すグループメンバに関連付けるステップと、
ｂ）メモリユニットから、参照命令のセットを含む、前記命令を出すグループメンバの前記メンバプロファイルデータにアクセスするステップと、
ｃ）前記制御コマンドを特定するために、前記検出された命令と、前記命令を出すグループメンバの前記メンバプロファイルデータ内の前記参照命令のセットから選択される所与の参照命令とをマッチングさせるステップと、
を含む、方法。
【請求項２】
モニタリングする前記ステップは、各認証済みのグループメンバを連続的に追跡するステップを含む、請求項１に記載の方法。
【請求項３】
前記制御コマンドを特定する前記ステップは更に、特定された前記制御コマンドについて、前記命令を出すグループメンバの前記メンバプロファイルデータから得られる権限付与ステータスを検証するステップを含む、請求項１又は２に記載の方法。
【請求項４】
前記命令、特定された前記制御コマンド、及び前記命令を出すグループメンバのメンバ識別子を前記メモリユニットに記憶するステップを更に含む、請求項１乃至３の何れか一項に記載の方法。
【請求項５】
認証を行う前記ステップは更に、前記ユーザを前記グループメンバとして追加する前に、公認グループメンバとして、認証された前記ユーザの身元確認を可能にするために、前記メモリユニットからのグループプロファイルにアクセスするステップを含む、請求項１乃至４の何れか一項に記載の方法。
【請求項６】
前記制御ユニットは、前記センサユニットからのセンサ信号を受信する中央ユニットに含まれ、前記メモリユニットは、前記制御ユニットによってアクセス可能であり、前記方法は更に、
前記制御ユニットによって、前記制御コマンドを受信する候補デバイスを特定するステップを含み、前記候補デバイスは、前記検出された命令と、前記命令を出すグループメンバの前記メンバプロファイルデータ内の前記参照命令との前記マッチングによって特定される、複数のデバイスを操作するための請求項１乃至５の何れか一項に記載の方法。
【請求項７】
前記センサユニットは、ジェスチャ又は姿勢を検出するための視覚画像の受信、及び、声又は他の音を検出するためのオーディオ信号の受信を含む群の少なくとも１つの受信の要素のために構成される、請求項１乃至６の何れか一項に記載の方法。
【請求項８】
グループの１人以上のグループメンバから受信される入力に基づいてデバイスを制御することによって前記デバイスの操作を制御する装置であって、
前記１人以上のグループメンバのうちの命令を出すグループメンバによって提供される少なくとも１つの命令を検出するために、各グループメンバをモニタリングするセンサユニットであって、視覚命令又は可聴命令を検出するように、視覚画像又は可聴信号の少なくとも一方を受信する前記センサユニットと、
前記センサユニットに通信可能に接続され、前記センサユニットからの出力信号を受信する制御ユニットであって、前記命令を検出すると、前記デバイスを制御する制御コマンドを特定するプロセッサを含み、前記制御コマンドは、前記命令に関連付けられ、前記デバイスに通信可能に接続される前記制御ユニットと、
を含む装置において、
前記装置は更に、
認証済みのグループメンバのみがモニタリングされることとなるように、ユーザとインタラクトして、前記グループを確立するために、グループメンバとして前記ユーザを追加するための前記ユーザの認証を行うユーザ入力手段と、
前記認証済みのグループメンバの１つ以上のメンバプロファイルデータを記憶するメモリユニットであって、各認証済みグループメンバの前記メンバプロファイルデータは、前記各グループメンバの参照命令のセットを含む、前記メモリユニットと、
を含み、
前記制御ユニットは更に、前記プロセッサによって、検出された前記命令を、前記認証済みのグループメンバのうちの前記命令を出すグループメンバに関連付け、前記メモリユニットからの前記命令を出すグループメンバの前記メンバプロファイルデータにアクセスし、前記制御コマンドを特定するために、前記検出された命令と、前記命令を出すグループメンバの前記メンバプロファイルデータ内の前記参照命令のセットから選択される所与の参照命令とをマッチングさせ、前記検出された命令が、前記命令を出すグループメンバの前記メンバプロファイルデータ内の参照命令にマッチする場合にのみ、前記デバイスに前記制御コマンドを提供することを特徴とする、装置。
【請求項９】
前記ユーザ入力手段は、個人的な目の特徴に基づいて前記ユーザを認証する虹彩若しくは網膜スキャナ又は指紋スキャナを含むバイオメトリックスキャナ、個人的なログオン詳細を入力するためのキーボード、タッチセンサー式スクリーン、又は、カメラを含む群のうちの少なくとも１つの要素を含む、請求項８に記載の装置。
【請求項１０】
前記センサユニットは、領域を観察する１つ以上のカメラを含む撮像デバイス又は撮像装置、及び、オーディオ信号を感知する１つ以上のマイクロホンを含むオーディオセンサデバイス又はオーディオセンサ装置を含む群のうちの少なくとも１つの要素を含む、請求項８又は９に記載の装置。
【請求項１１】
前記制御ユニットは、前記プロセッサによって、前記制御コマンドを受信する候補デバイスを特定するように更に構成され、前記候補デバイスは、前記検出された命令と、前記メンバプロファイルデータ内の前記参照命令とのマッチングによって特定される、請求項８乃至１０の何れか一項に記載の装置。
【請求項１２】
グループの１人以上のグループメンバから受信される入力に基づいてデバイスを制御することによって前記デバイスを操作する、請求項１乃至８の何れか一項以上に記載の方法を実施するためのプログラムコード命令を含む、通信ネットワークからダウンロード可能である並びに／又はコンピュータ可読媒体及び／若しくはマイクロプロセッサ実行可能媒体上に格納されるコンピュータプログラム。
【請求項１３】
請求項１２に記載のコンピュータプログラムを含む、データ担体。